(57)【特許請求の範囲】
【請求項１】
表示部と台座とを含む表示装置であって、
前記表示部は、表示板と、前記表示板の背面から後方に突出する突出部とを一体として含み、
前記台座は、前記表示板と平行する第１回転軸を中心に、一端部で前記突出部を回転可能に支持する少なくとも１つの腕部材と、
前記腕部材の他端部を後方に付勢する弾性部材と、
初期位置において前記他端部と当接し、前記他端部が前記弾性部材の付勢力により後方に移動することを防止する第１ストッパと、
前記一端部と前記他端部との間に位置する、前記第１回転軸と平行な第２回転軸を中心に、前記腕部材を回転可能に支持するベース部材と、
前記弾性部材により前方に付勢され、前記表示板の背面と当接する当接部材と、
前記初期位置において、前記当接部材と当接し、前記当接部材が前記弾性部材の付勢力により前方へ移動することを防止する第２ストッパとを備え、
前方からの外力を受けると、前記突出部が、前記初期位置から後方に移動し、前記腕部材が前記第２回転軸を中心に回転して前記他端部を前記弾性部材の付勢力に抗して前方へ移動させ、および／または、前記表示部が前記初期位置から前記第１回転軸を中心に回転し、前記当接部材が前記弾性部材の付勢力に抗して後方に移動し、
前記外力が消滅すると、前記表示部が前記初期位置に復元することを特徴とする、表示装置。
【請求項２】
前記表示板は、前面に表示内容を表示する字形片が配設され、背面に表示内容を表示するテープ状ＬＥＤおよび配線が配設され、前記表示板および前記字形片は、前記テープ状ＬＥＤのＬＥＤチップに対応する位置に貫通孔が形成されることを特徴とする、請求項１記載の表示装置。
【発明の詳細な説明】
【技術分野】
【０００１】
本発明は、ゴルフ練習場で使用され、距離等を表示する表示装置に関する。
【背景技術】
【０００２】
ゴルフ練習場で使用される地上設置式のヤーデージ板として、数字を塗色したゴム板をスタンドに吊り下げる形式が一般的である。打球を回避する方法として、飛距離を夜光塗料で表示し、飛来するゴルフボールによる被害を保護する防球カバーを配設した距離表示板がある（特許文献１）。また、複数の砲弾型ＬＥＤランプの可視光によって飛距離を表示し、かつ前記ＬＥＤランプを飛球の衝突から回避する保護部材を配設した距離表示板もある（特許文献２）。
【０００３】
一方、高速道路等にはキロポストと呼ばれる距離表示板が、１００ｍ毎に支柱に取り付けてある。積雪地帯では、風雪による衝撃によって距離表示板が歪み、距離表示板が元の位置に戻らない場合がある。このような外圧による変形を回避するため、支柱へ取り付ける支柱取付板と標識板を取り付ける標識取付板との間を、縦方向、横方向に屈曲できる自在継ぎ手で繋ぎ、その自在継ぎ手の外周に鋼線を巻いたバネを配置した距離表示板がある。バネの突っ張る力で支柱取付板と標識取付板を平行に位置させ、距離表示板に外力が加わるとバネに抗してそれを逃げるように平行からずれて動くが、外力が無くなるとバネの力でまた元の位置に戻るという（特許文献３）。
【先行技術文献】
【特許文献】
【０００４】
【特許文献１】特開平７−１１２０４６号公報
【特許文献２】特開２００６−１８９６９６号公報
【特許文献３】登録実用新案第３１６１９６３号公報
【発明の概要】
【発明が解決しようとする課題】
【０００５】
しかしながら、ゴルフ練習場などでは、打球により距離表示板の字形の塗色が劣化しやすい。打球による字形への接触を回避する方法として、特許文献１記載の防球カバーは有効であるが、防球カバーによって距離表示の視認性が低下する場合がある。また、特許文献２では、夜間でも距離表示を容易に視認できるように砲弾型ＬＥＤランプを使用し、その保護のために砲弾型ＬＥＤランプの外周に打球よりも小径の保護壁を設けたものである。飛球の衝突からＬＥＤランプを保護することができるが、保護壁の高さによっては、砲弾型ＬＥＤランプの指向性によって照射光が視認できず、表示能が低下する場合がある。したがって、夜間でも距離視認性に優れる、距離表示板の開発が望まれる。
【０００６】
一方、特許文献３記載の距離表示板は、裏面中央部に設けられた取付け部と支柱取付け部との間にコイルバネが配設されたものである。バネの弾性によって衝撃を吸収することができるが、衝撃が大きい場合はバネが破損する場合がある。また、特許文献３記載の距離表示板は、路面に立設された一本の円柱に取り付けられるため、距離表示板が支柱を中心に回転する場合がある。したがって、打球を受けた場合にも常態に回復できる表示方向の保持特性に優れる、距離表示板の開発が望まれる。
【０００７】
本発明は、上記現状に鑑みて、距離表示の視認性に優れ、打球による衝撃を緩和して劣化を抑制すると共に、配設位置の移動がなく常態を維持しうる、表示板を提供することを目的とする。
【課題を解決するための手段】
【０００８】
本発明者は、ゴルフ練習場の距離表示装置について詳細に検討した結果、打球による衝撃を緩和すべく、表示板の背面に当接する当接部材と、前記当接部材を付勢する弾性部材と、前記当接部材の後端を付勢する腕部材からなる台座に吊設すれば、前記弾性部材によって打球による衝撃を緩和でき、かつ衝撃消滅後に直ちに初期位置に復元し得ることを見出し本発明を完成させた。また、前記表示板の背面にＬＥＤ照明を配設し、かつ前記表示板のＬＥＤに対抗する位置に貫通孔を設け、この貫通孔からＬＥＤの照射光を透過させると、打球による前記ＬＥＤ照明の劣化を防止しつつ夜間でも距離表示の視認性に優れることなどを見出した。
【０００９】
すなわち本発明は、表示部と台座とを含む表示装置であって、
前記表示部は、表示板と、前記表示板の背面から後方に突出する突出部とを一体として含み
前記台座は、前記表示板と平行する第１回転軸を中心に、一端部で前記突出部を回転可能に支持する少なくとも１つの腕部材と、
前記腕部材の他端部を後方に付勢する弾性部材と、
初期位置において前記他端部と当接し、前記他端部が前記弾性部材の付勢力により後方に移動することを防止する第１ストッパと、
前記一端部と前記他端部との間に位置する、前記第１回転軸と平行な第２回転軸を中心に、前記腕部材を回転可能に支持するベース部材と、
前記弾性部材により前方に付勢され、前記表示板の背面と当接する当接部材と、
前記初期位置において、前記当接部材と当接し、前記当接部材が前記弾性部材の付勢力により前方へ移動することを防止する第２ストッパとを備え、
前方からの外力を受けると、前記突出部が、前記初期位置から後方に移動し、前記腕部材が前記第２回転軸を中心に回転して前記他端部を前記弾性部材の付勢力に抗して前方へ移動させ、および／または、前記表示部が前記初期位置から前記第１回転軸を中心に回転し、前記当接部材が前記弾性部材の付勢力に抗して後方に移動し、
前記外力が消滅すると、前記表示部が前記初期位置に復元することを特徴とする、表示装置を提供するものである。
【００１０】
また、前記表示板は、前面に表示内容を表示する字形片が配設され、背面に表示内容を表示するテープ状ＬＥＤおよび配線が配設され、前記表示板および前記字形片は、前記テープ状ＬＥＤのＬＥＤチップに対応する位置に貫通孔が形成されることを特徴とする、前記表示装置を提供するものである。
【発明の効果】
【００１１】
本発明によれば、打球による衝撃を緩和できる表示装置が提供される。また、テープ状ＬＥＤで表示内容を表示させると、夜間でも距離表示の視認性に優れる表示装置が提供される。
【図面の簡単な説明】
【００１２】
【図１】本発明の実施形態に係る表示装置の背面斜視図である。
【図２】本発明の実施形態に係る表示装置を説明する図であり、図２（Ａ）は背面図、図２（Ｂ）は図２（Ａ）のＡ−Ａ線断面図、図２（Ｃ）は図２（Ａ）のＢ−Ｂ線断面図である。
【図３】本発明の実施形態に係る表示装置を説明する図であり、図３（Ａ）は、図２（Ａ）のＣ−Ｃ線断面図、図３（Ｂ）は表示板下部にゴルフボールが衝突した際の断面図、図３（Ｃ）は表示板上部にゴルフボールが衝突した際の断面図である。
【図４】本発明の実施形態に係る表示装置に使用する当接部材を説明する図であり、図４（Ａ）は側面図、図４（Ｂ）は当接部材に弾性部材を装着した際の縦断面図、図４（Ｃ）は当接部材、弾性部材、第１ストッパ、第２ストッパ、付勢部材の関係を説明する図である。
【図５】本発明の実施形態に係る表示装置の表示板を説明する図であり、図５（Ａ）は表示板の前面に「６」と「５」の字形片が配設される態様を、図５（Ｂ）は字形片の一例を、図５（Ｃ）は字形片で「８」を表示する一例を、図５（Ｄ）は図５（Ｂ）に示す字形片を組み合わせて表示板に「６５」を表示する一例を示す図である。
【図６】本発明の実施形態に係る表示装置の表示板を説明する図であり、図５（Ｄ）のＡ−Ａ線断面図に、テープ状ＬＥＤのＬＥＤチップに向かってゴルフボールが衝突した状態を説明する図である。
【発明を実施するための形態】
【００１３】
本発明の表示装置１００は、図１の背面斜視図に示すように、表示内容を表示する表示部Ａと、前記表示部を支持する台座Ｂとからなる。以下、図面を参照して本発明を詳細に説明する。
【００１４】
（１）表示部
図１は、本発明の表示装置１００の好適な態様の一例を示す背面斜視図である。表示部Ａは、表示内容を表示する表示板１０と、表示板１０の背面から後方に突出して形成される突出部１３とを含む。突出部１３を台座Ｂに連結し、表示部Ａを台座Ｂに吊設することができる。
表示板１０は、木材、ＳＵＳその他の金属、ポリ塩化ビニルなどの合成樹脂、ＲＰＦなどの繊維強化プラスチクス、これらの積層体、その他これらの複合部材などで構成することができる。例えば、木製や金属製の平板状物の表面に、更にゴム板などを接着して、表示板１０とすることができる。表示板１０は、通常は平らな板状物である。ただし、側面視中央を凸状に湾曲するものや、表面を木目状に加工したもの、または前面にエンボス加工を行ったものなど、表示内容を表示できることを条件に、形状や表面加工その他は、載置条件に応じて適宜選択することができる。図１では、板状物の外周に帯状に枠部１５が形成される態様を示す。なお、図１は、表示板１０の背面にテープ状ＬＥＤ１７と配線１９とを配設し、ＬＥＤ照射光を使用して表示内容を表示する一例である。表示板１０の外周に枠部１５を形成すると、表示板１０の強度を高めることができ、また、側方の外力からテープ状ＬＥＤ１７や配線１９を保護することができる。
【００１５】
突出部１３は、表示板１０の背面から後方に突出して形成される。突出部１３も表示板１０と同様に、木材、ＳＵＳその他の金属、ポリ塩化ビニルなどの合成樹脂、ＲＰＦなどの繊維強化プラスチクス、これらの積層体、その他これらの複合部材などで構成することができる。表示板１０と突出部１３とは同じ部材で構成されてもよく異なる部材で構成されていてもよい。ただし、突出部１３は、表示板１０に対する突出位置や角度が一定となるように一体に構成される。なお、図１では、表示板１０の中心軸で対照する一対の突出部１３が配設される態様を示すが、中心軸で対照する一対の突出部１３の形成によれば、安定性に優れる。ただし、これに限定されるものではない。
【００１６】
（２）台座
台座Ｂは、腕部材２０、付勢部材３０、ベース部材４０、当接部材５０、および弾性部材６０とを含む。図２（Ａ）に、表示装置１００の背面図を示し、図２（Ｂ）に、図２（Ａ）のＡ−Ａ線断面図を示し、図２（Ｃ）に、図２（Ａ）のＢ−Ｂ線断面図を示す。また、図３（Ａ）に図２（Ａ）のＣ−Ｃ線断面図を示す。
【００１７】
腕部材２０は、一端に表示板１０と平行に形成された第１回転軸２１と、一端と他端との間に、第１回転軸２１と平行して形成された第２回転軸２３とを有する。また、腕部材２０の後端には、図２（Ｂ）に示すように、付勢部材３０が一体に形成されている。腕部材２０は、第２回転軸２３によってベース部材４０に軸支される。図１および図２に示す態様では、２個の突出部１３に対応して２本の腕部材２０が配設され、各第１回転軸２１でそれぞれの突出部１３を軸支し、表示板１０を吊設している。図２（Ｂ）に示すように、２本の腕部材２０の他端（後端）の間に板状物が横架され、付勢部材３０として機能する。この付勢部材３０には、当接部材５０を貫通する貫通孔３３が形成されている。
【００１８】
ベース部材４０は、当接部材５０と弾性部材６０とを収納し、かつ腕部材２０を軸支する。
例えば、ベース部材４０は、図２（Ｂ）に示すように方形の枠構造であり、表示板１０と平行した前板と後板、および前板と後板とを連設する２枚の横板とからなる。前板と後板とを貫通して当接部材５０が配設され、当接部材５０には弾性部材６０が装着される。図１、図３（Ａ）に示すように、ベース部材４０の横板の一部が支持部４５として機能し、腕部材２０の第２回転軸２３を軸支する。また、枠構造の後板が、第１ストッパ４１、前板が第２ストッパ４３として機能する。なお、第１ストッパ４１および第２ストッパ４３には、それぞれ貫通孔４２、貫通孔４４が形成され、前記貫通孔４２，４４を貫通して当接部材５０が配設される。
【００１９】
図４（Ａ）に当接部材５０の側面図、図４（Ｂ）に当接部材５０に弾性部材６０を装着した際の断面図を示す。当接部材５０は、表示板１０の背面に当接する表示板当接部５１と、第２ストッパ４３と当接する第２ストッパ当接部５３と、弾性部材６０を装着する棒状の装着部５５と、当接部材５０が装着部５５から離脱することを防止する離脱防止部５７とを含む。例えば、金属製の棒状物で装着部５５を形成し、装着部５５の先端に合成樹脂からなるリング状の第２ストッパ当接部５３と、合成ゴムや塩ビその他の合成樹脂で成形された表示板当接部５１とをそれぞれ挿入および固設し、装着部５５の後端に六角ナットを羅着し、離脱防止部５７として固着し、構成することができる。六角ナットを羅着させる方法によれば、六角ナットを回転させることで、容易に弾性部材６０としてのコイルバネの弾性力と伸縮力とを調整することができる。当接部材５０は、上記各部を有し、一体として機能するものであれば、上記したように異なる部品で構成されたものであってもよく、金属や合成樹脂により一体に成形されたものであってもよい。なお、弾性部材６０としてコイルバネを使用し、当接部材５０の装着部５５に装着した状態の縦断面図を図４（Ｂ）に示す。弾性部材６０は、当接部材５０の装着部５５の第２ストッパ当接部５３と付勢部材３０との間に挿入される。また、ベース部材４０に当接部材５０および弾性部材６０を配設した際の、当接部材５０、第１ストッパ４１、第２ストッパ４３、および付勢部材３０との関係を図４（Ｃ）に示す。第１ストッパ４１と第２ストッパ４３はベース部材４０の一部であり、位置が変動しない固定部材である。当接部材５０は、第２ストッパ４３に形成した貫通孔４４から表示板当接部５１を貫通させ、第２ストッパ４３と第２ストッパ当接部５３とが当接する。なお、図４（Ｂ）に示すように、当接部材５０の移動によって第２ストッパ当接部５３と第２ストッパ４３とは離脱することができる。この状態を説明するため、図４（Ｃ）では第２ストッパ４３と第２ストッパ当接部５３との間に間隔を設けた。これは、表示板１０の略中央部分に打球による衝撃を受けた場合等に相当する。また、第１ストッパ４１に設けた貫通孔４２を貫通して装着部５５が挿入され、第１ストッパ４１は付勢部材３０に当接し、装着部５５の後端は離脱防止部５７により抜けが防止される。上記構成により、弾性部材６０は前後方向に圧縮されているため、常に第２ストッパ当接部５３と付勢部材３０との間を付勢している。ただし、第１ストッパ４１および第２ストッパ４３は固定部材であり、弾性部材６０による付勢部材３０の後方への移動は第１ストッパ４１まで、弾性部材６０による第２ストッパ当接部５３の前方への移動は第２ストッパ４３までに限定される。
【００２０】
図４（Ｃ）に示すように、第１ストッパ４１と第２ストッパ４３との間に、第２ストッパ当接部５３、弾性部材６０および付勢部材３０を配置し、ベース部材４０に設けた貫通孔４２、４４、付勢部材３０に設けた貫通孔３３、および弾性部材６０に装着部５５を貫通させ、装着部５５の先端に表示板当接部５１を、後端に離脱防止部５７を装着すると、ベース部材４０に当接部材５０、弾性部材６０および付勢部材３０を装着することができる。次いで、付勢部材３０に一体に成形された腕部材２０を、図３（Ａ）に示すように、第２回転軸２３でベース部材４０の支持部４５に軸支する。腕部材２０の後端が前方に向かうように第２回転軸２３を中心に腕部材２０を回転させると、付勢部材３０が前方に移動し、弾性部材６０を前方に付勢する。
【００２１】
本発明の表示装置１００は地上設置式である。台座Ｂを杭やＵ字釘などを用いて地面に埋設などにより固定し、またはコンクリートで固定すれば、表示装置１００に打球による衝撃を受けてもその位置を保持することができる。
【００２２】
（３）動作
表示板１０のいずれかにゴルフボールの打球などの外力が付加された場合の各部材の動きについて説明する。表示板１０に打球などの外力が付加されていない状態を初期状態とすれば、図３（Ａ）は初期状態を示し、図３（Ｂ）は表示板１０の下部にゴルフボールＧによる打撃を受けた際の、図３（Ｃ）は表示板１０の上部にゴルフボールＧによる打撃を受けた際の断面図となる。
【００２３】
なお、初期状態とは、腕部材２０の第１回転軸２１で突出部１３を軸支し、突出部１３と一体に形成される表示板１０が台座Ｂに吊設された状態である。当接部材５０の表示板当接部５１は、表示板１０の背面と当接している。表示板１０は第１回転軸２１を中心に回転可能であるが、当接部材５０が表示板１０の背面に当接し、表示板１０の回転は停止される。なお、設置面と表示部Ａとのなす角度（θ）は、９０°が標準であるが、設置場所により適宜選択することができ、表示板当接部５１の長さを調整することで角度（θ）を鋭角に調整することができる。
【００２４】
初期状態の表示板１０の下部にゴルフボールＧによる打撃を受けた場合、図３（Ｂ）に示すように、表示板１０は第１回転軸２１を回転中心として後方に回転する。表示板１０の後方への移動に伴い当接部材５０が後方に移動し、弾性部材６０が圧縮される。弾性部材６０の圧縮により打球による衝撃が緩和される。打球が表示板１０から離脱すると、弾性部材６０の付勢力により当接部材５０が前方に移動する。当接部材５０の移動に伴い表示板１０が第１回転軸２１を回転中心として前方に回転し、初期状態に復帰する。
【００２５】
初期状態の表示板１０の上部にゴルフボールＧによる打撃を受けた場合、図３（Ｃ）に示すように、表示板１０の上部が後方に移動し、これに伴い腕部材２０が第２回転軸２３を回転中心として回転する。この回転により腕部材２０の後端に配設された付勢部材３０が前方に移動し、弾性部材６０を前方に付勢する。打球が表示板１０から離脱し、外力が消滅すると、弾性部材６０の付勢力により付勢部材３０が第１ストッパ４１に当接するまで後方に移動し、これに伴い腕部材２０が第２回転軸２３を中心として回転する。同時に、第２回転軸２３を回転中心として表示板１０が前方に回転し、初期状態に復帰する。
【００２６】
初期状態の表示板１０の中央にゴルフボールＧによる打撃を受けた場合は、表示板１０の第１回転軸２１を回転中心とする後方への移動と、第２回転軸２３を回転中心とする腕部材２０の回転とが同時に生ずる（図４（Ｃ）参照）。第２回転軸２３を回転中心とする腕部材２０の回転により腕部材２０の後端に配設された付勢部材３０が前方に移動し、弾性部材６０を前方に付勢する。また、第１回転軸２１を回転中心とする表示板１０の後方移動に伴い当接部材５０が後方に移動し、弾性部材６０が圧縮される。この弾性部材６０の圧縮により打球による衝撃が緩和される。一方、打球が表示板１０から離脱し、外力が消滅すると、弾性部材６０の付勢力により付勢部材３０が第１ストッパ４１に当接するまで後方に移動し、これに伴い腕部材２０が第２回転軸２３を中心として回転する。同時に、当接部材５０が前方に移動し、当接部材５０の移動に伴い表示板１０が第１回転軸２１を回転中心として前方に回転し、初期状態に復帰する。
【００２７】
（４）表示方法
表示板１０への表示方法は、塗料や彫だし、その他のいずれであってもよい。ただし、ゴルフ練習場など、表示板１０の表面にゴルフボールの打球などの力を受ける場合には、表示板１０の背面に照明を配設する方法が好適である。背面であれば、打球による表示内容の損傷が少ないからである。表示板１０に表示内容に対応する貫通孔を設ければ、夜間でも貫通孔を通す照明光によって表示内容を明瞭に視認することができる。
背面に配設する照明としては、白熱電球、蛍光灯、ハロゲンランプ、ＬＥＤ、ＨＩＤランプなどのいずれであってもよい。消費電力が少ない点で砲弾型ＬＥＤやテープ状ＬＥＤなどのＬＥＤ照明が好ましい。ＬＥＤ照明の中でも、ＬＥＤチップと制御ＩＣとを含み、ＬＥＤチップがテープ上に等間隔に並ぶテープ状ＬＥＤは取扱いが容易で、特に好ましい。
【００２８】
便宜のため、表示内容が距離などの数値であり、テープ状ＬＥＤを使用して表示内容を表示する場合で説明する。距離表示には、０〜９までの数字を組み合わせる。字形は任意であるが、傾斜角(θ）７５〜８５°であれば表示内容の視認性に優れる。例えば、図２（Ａ）は、前面から「６５」となるように、表示板１０の背面にテープ状ＬＥＤ１７を配置し、各テープ状ＬＥＤ１７を配線１９でつないだ態様の一例である。表示板１０が木や金属その他の不透明な材質で製造された場合には、表示板１０に、テープ状ＬＥＤ１７のＬＥＤチップ１８と対抗する位置に貫通孔１６を形成すれば、背面からの照明光を表示板１０の前面に透過させることができる。貫通孔１６のサイズは、表示板１０にゴルフボールなどの外力が接触する表面積よりも小面積とする。これにより、ゴルフボールなどが直接ＬＥＤチップ１８に接触することを回避でき、テープ状ＬＥＤ１７の劣化を抑制することができる。例えば、５ｍｍ×５ｍｍのＬＥＤチップが等間隔に配列されたテープ状ＬＥＤを使用する場合は、一辺が４〜７ｍｍの方形の貫通孔や直径４〜７ｍｍの円形の貫通孔を、ＬＥＤチップ１８に対応させて形成する。
【００２９】
本発明ではさらに、表示板１０の前面に、塩化ビニル、ポリカーボネートなどの合成樹脂からなる字形片７０を配設することが好ましい。字形片７０と対抗する表示板１０の背面に、テープ状ＬＥＤ１７を配設する。この字形片７０にもＬＥＤチップ１８と対抗する位置に貫通孔７１を形成する。表示板１０の前面に「６」と「５」の字形片７０を配設した表示板１０の正面図を図５（Ａ）に示す。
【００３０】
字形片７０の形状は任意である。図５（Ａ）は、傾斜角(θ）８０°の「６」や「５」を１枚の字形片７０で構成したものである。一方、図５（Ｂ）に示す７０ａ、７０ｂ、７０ｃ、７０ｄの４片を組み合わせて数字を構成してもよい。例えば図５（Ｃ）は、図５（Ｂ）に示す７０ａを２枚、７０ｂを２枚、７０ｃを１枚、７０ｄを２枚使用して「８」を表示したものである。図５（Ｃ）に示す「８」のいずれかの片を削除すれば「０」から「９」を表示できる。したがって、図５（Ｂ）の７０ａ、７０ｂ、７０ｃ、７０ｄで示す４片を使用すれば、これら４片を組み合わせて「０」から「９」の数字を表示することができ、便利である。なお、字形片７０の水平からの傾斜角（θ）は、７５〜８５°であれば数値を明瞭に認識することができる。図５（Ｂ）に示す符号７０ａ、７０ｂ、７０ｃ、７０ｄの各字形片７０を組み合わせて表示板１０の前面に「６」と「５」とを配置し、ＬＥＤチップ１８に対応する位置に貫通孔７１が形成した態様を図５（Ｄ）に示す。
【００３１】
図６に、図５（Ｄ）のＡ−Ａ線の一部断面図を示す。なお、図６では、表示板１０の背面に、アルミの接着テープ８０を用いてテープ状ＬＥＤ１７を固定する態様を示す。ＬＥＤチップ１８にゴルフボールＧが打球されたと仮定した場合で説明する。表示板１０の外周には枠部１５が形成され、テープ状ＬＥＤ１７を保護している。ＬＥＤチップ１８に対応して表示板１０および字形片７０ａ、７０ｂに、それぞれ貫通孔１６、貫通孔７１が形成されている。表示板１０に字形片７０を配設すると、字形片７０全体が発光し、表示内容がより明瞭に表示される。字形片７０が発光する理由は明確ではないが、ＬＥＤチップ１８から照射される光の照射範囲が広く、貫通孔１６、７１からの光が周辺に広がる結果、字形片７０全体が発光されると推定される。
【００３２】
本発明の表示装置１００の特徴は、打球その他の外力が表示板１０のいずれに付加される場合でも、弾性部材６０の付勢力によって当接部材５０が前後に移動し、または腕部材２０が第２回転軸２３で回転することで打球による衝撃を緩和することができる。ゴルフボールなどの打球が衝突する位置によっては、当接部材５０の移動と腕部材２０の回転との双方が生じ、打球による衝撃を緩和することができる。しかも、外力を受けた際の表示板１０の移動幅が少ないため、外力を受けた際も表示内容の視認性に優れる。更に、ゴルフボールが表示板１０から離脱して打球による外力が消滅すると、速やかに初期状態に復帰する。初期状態への復帰は、弾性部材６０の付勢力および腕部材２０の回転によるものであり、表示板１０の劣化防止と共に表示内容の視認性に優れる。
【００３３】
本発明の表示装置１００は、ゴルフ練習場などに配置し、打席からの距離を表示する距離表示装置として使用することができる。表示内容は特に制限はなく、距離に限定されず、例えばロッカールームなどの施設名、方向を示す矢印などの記号、その他を表示するものであってもよい。
【００３４】
上記では、表示板１０の背面から突出する突出部１３が２か所に形成される構成となっているが、これに限定されるものではない。例えば、２カ所の突出部１３が一体として長尺に構成されるものであってもよい。同様に、第１回転軸２１も２カ所に形成される態様に限定されず、長尺の棒状回転軸であってもよい。第２回転軸２３も同様である。その他、本発明の趣旨の範囲内で、細部の構成を適宜、変更することが可能である。
【符号の説明】
【００３５】
１０・・・表示板、
１３・・・突出部、
１５・・・枠部、
１６・・・貫通孔、
１７・・・テープ状ＬＥＤ、
１８・・・ＬＥＤチップ、
１９・・・配線、
２０・・・腕部材、
２１・・・第１回転軸、
２３・・・第２回転軸、
３０・・・付勢部材、
３３・・・貫通孔、
４０・・・ベース部材、
４１・・・第１ストッパ、
４２・・・貫通孔、
４３・・・第２ストッパ、
４４・・・貫通孔、
４５・・・支持部、
５０・・・当接部材、
５１・・・表示板当接部、
５３・・・第２ストッパ当接部、
５５・・・装着部、
５７・・・離脱防止部、
６０・・・弾性部材、
７０、７０ａ、７０ｂ、７０ｃ、７０ｄ・・・字形片、
７１・・・貫通孔、
８０・・・接着テープ、
Ａ・・・表示部、
Ｂ・・・台座、
１００・・・表示装置
【図１】
0006635547.tif 000002
【図２】
0006635547.tif 000003
【図３】
0006635547.tif 000004
【図４】
0006635547.tif 000005
【図５】
0006635547.tif 000006
【図６】
0006635547.tif 000007